(57)【要約】  毛髪がある頭皮を有するヒトのための発光デバイスであって、頭皮の一部の輪郭に沿うように構成された可撓性で弓形のベースを含む。このベースは２０ｍｍ〜１２０ｍｍの幅を有し、内部及び内面を含む。少なくとも１列の歯列がこの内面に連結され、この少なくとも１列の歯列の各歯は、ベースを頭皮の輪郭に沿わせると頭皮に押し付けられる。各歯は、この少なくとも１列の歯列を頭皮に押し付けた場合に毛髪を分けるように構成される。発光ダイオード及びレーザーダイオードの少なくとも一方の列が、この少なくとも１列の歯列に近接させてベースに連結される。【選択図】図７
2017530850.tif 000002
【特許請求の範囲】
【請求項１】
頭皮の一部の輪郭に沿うように構成された可撓性で弓形のベースであって、２０ｍｍ〜１２０ｍｍの幅を有し、内部及び内面を含むベースと、
前記内面に連結された少なくとも１列の歯列であって、前記少なくとも１列の歯列の各歯は、前記ベースを前記頭皮の輪郭に沿わせると前記頭皮に押し付けられ、各歯は、前記少なくとも１列の歯列を前記頭皮に押し付けた場合に毛髪を分けるように構成される少なくとも１列の歯列と、
前記少なくとも１列の歯列に近接させてベースに連結された発光ダイオード及びレーザーダイオードの少なくとも一方の列とを備える、毛髪がある頭皮を有するヒトのための発光デバイス。
【請求項２】
前記少なくとも１列の歯列が少なくとも２列の歯列を含み、前記少なくとも２列の歯列並びに前記発光ダイオード及びレーザーダイオードの少なくとも一方の前記列が実質的に互いに平行であり、前記少なくとも１つの発光ダイオード及びレーザーダイオードの列が前記少なくとも２列の歯列の間に配置される、請求項１に記載のデバイス。
【請求項３】
前記少なくとも２列の歯列が前記内面に着脱自在に連結される、請求項２に記載のデバイス。
【請求項４】
前記内面と前記少なくとも２列の歯列の少なくとも一方との間に配置された弾性要素をさらに含み、前記弾性要素は前記少なくとも２列の歯列の一方を前記内面から離れた第１位置から前記内面に隣接した第２位置へと移動し易くするように構成される、請求項３に記載のデバイス。
【請求項５】
前記ベースに連結された近接センサをさらに含み、前記近接センサは、ユーザの頭皮が前記近接センサから既定の距離をおいて離れた場合に前記発光ダイオード及びレーザーダイオードの少なくとも一方の列を自動的にアクティブにするように構成される、請求項１に記載のデバイス。
【請求項６】
前記ベースに連結された画像取り込み要素をさらに含み、前記画像取り込み要素は、前記ベースを前記頭皮の輪郭に沿わせた場合に前記頭皮の少なくとも一部の画像をキャプチャするように構成される、請求項１に記載のデバイス。
【請求項７】
発毛剤を保持するように構成された貯蔵部を前記ベース内にさらに含む、請求項１に記載のデバイス。
【請求項８】
前記ベースが、インダクティブ充電素子により充電されるように構成されたバッテリを含む、請求項１に記載のデバイス。
【請求項９】
前記ベースが、前記発光ダイオード及びレーザーダイオードの少なくとも一方の列の周囲で実質的に水密であるシールを画成する、請求項１に記載のデバイス。
【請求項１０】
前記ベースが長さを規定し、前記少なくとも１列の歯列並びに前記少なくとも１つの発光ダイオード及びレーザーダイオードの列が前記ベースの実質的に全長におよぶ、請求項１に記載のデバイス。
【請求項１１】
前記少なくとも１列の歯列が、前記ベースを前記頭皮上の前記第１位置から前記頭皮の前記第２位置へと移動させる場合に前記頭皮の前記毛髪を分けるように構成される、請求項１に記載のデバイス。
【請求項１２】
該少なくとも１列の発光ダイオード及びレーザーダイオードが発光ダイオードを含み、前記発光ダイオードが、少なくとも１つの６１０〜６９０ｎｍ、４００〜５００ｎｍ、８００〜９００ｎｍ及び１０００〜１２００ｎｍの波長範囲の光を発するように構成される、請求項１に記載のデバイス。
【請求項１３】
頭皮の輪郭に沿うように構成されたベースであって、内部及び内面を含み、２０ｍｍ〜１２０ｍｍの幅を有するベースと、
前記内面に連結された少なくとも２列の歯列であって、前記少なくとも２列の歯列の各歯は、前記ベースを前記頭皮の輪郭に沿わせると前記頭皮に押し付けられ、各歯は、前記少なくとも２列の歯列を前記頭皮に押し付けた場合に毛髪を分けるように構成される少なくとも２列の歯列と、
前記内部の前記少なくとも２列の歯列の間に配置されたレーザーダイオードの列と、
前記ベースと通信し且つ前記ベースから離れており、前記レーザーダイオードの列をアクティブにするように構成されたコントロールユニットとを備える、毛髪を有するヒトの頭皮で使用するための発毛システム。
【請求項１４】
前記ベースに連結された近接センサをさらに含み、前記近接センサは、ユーザの頭皮が前記近接センサから既定の距離をおいて離れた場合に前記レーザーダイオードの列を自動的にアクティブにする及び前記コントロールユニットによる前記レーザーダイオードの列のアクティブ化を可能にすることの少なくとも一方を行うように構成される、請求項１３に記載のシステム。
【請求項１５】
前記ベースに連結された画像取り込み要素をさらに含み、前記画像取り込み要素は、前記ベースを前記頭皮の輪郭に沿わせた場合に１枚以上の頭皮の画像をキャプチャするように構成される、請求項１３に記載のシステム。
【請求項１６】
前記コントロールユニットが、前記ベースの使用頻度、前記ベースの１回の使用時間及びキャプチャした前記１枚以上の頭皮の画像の少なくとも１つに基づいて発毛の度合いを判断するように構成されたプロセッサを含む、請求項１３に記載のシステム。
【請求項１７】
前記コントロールユニットが、前記１枚以上の頭皮の画像をまとめ、実質的に頭皮全体が前記レーザーダイオードの列から発せられた光に曝露されたか否かを判断するように構成されたプロセッサを含む、請求項１３に記載のシステム。
【請求項１８】
前記ベースが、発毛剤を蓄えるように構成された貯蔵部を含み、前記コントロールユニットが前記貯蔵部と通信し且つ前記貯蔵部から流体を分注するように構成される、請求項１３に記載のシステム。
【請求項１９】
前記ベースが加速度計を含み、前記加速度計が前記コントロールユニットと通信し、前記コントロールユニットが、前記ベースが前記頭皮をあちこち移動する速度を測定するように構成される、請求項１３に記載のシステム。
【請求項２０】
頭皮の輪郭に沿うように構成された可撓性で弓形のベースであって、内部及び内面を含み、２０ｍｍ〜１２０ｍｍの幅を有するベースと、
前記内面に連結された少なくとも２列の歯列であって、前記少なくとも２列の歯列の各歯は、前記ベースを前記頭皮の輪郭に沿わせると前記頭皮に押し付けられ、各歯は、前記少なくとも２列の歯列を前記頭皮に押し付けた場合に毛髪を分けるように構成される少なくとも２列の歯列と、
前記内部の前記少なくとも２列の歯列の間に配置されたレーザーダイオードの列と、
前記ベースが、前記少なくとも２列の歯列と前記頭皮との接触を失うことなく前記頭皮上の第１位置から前記頭皮の第２位置まで移動可能であり、
前記少なくとも２列の歯列の少なくとも一方に連結された弾性要素であって、前記少なくとも２列の歯列の一方を前記内面から離れた第１位置から前記内面に隣接した第２位置へと移動し易くするように構成された弾性要素と、
前記ベースに連結され、前記ベースを前記頭皮の輪郭に沿わせた場合に１枚以上の頭皮の画像をキャプチャするように構成された画像取り込み要素と、
前記ベースと通信し且つ前記ベースから離れたコントロールユニットであって、前記レーザーダイオードの列をアクティブにするように構成され、前記コントロールユニットは、
キャプチャした前記１枚以上の頭皮の画像を比較し、毛穴の密度の度合いを判断し、且つ、
前記１枚以上の頭皮の画像をまとめ、実質的に前記頭皮全体が前記レーザーダイオードの列から発せられた光に曝露されたか否かを判断するように構成されたプロセッサを含むものである、コントロールユニットとを備える、毛髪を有するヒトの頭皮で使用するための発毛システム。
【請求項２１】
前記ベースが、前記少なくとも１列の歯列と前記頭皮との接触を失うことなく前記頭皮上の第１位置から前記頭皮の第２位置へと移動可能である、請求項１に記載のデバイス。
【請求項２２】
前記ベースが、前記少なくとも２列の歯列と前記頭皮との接触を失うことなく前記頭皮上の第１位置から前記頭皮の第２位置へと移動可能である、請求項１３に記載のシステム。
【発明の詳細な説明】
【技術分野】
【０００１】
本発明は、発毛を刺激するためのハンズフリー発光デバイスに関する。
【背景技術】
【０００２】
抜け毛を治療する又は別の形で新しい毛髪の成長を刺激するためのレーザー照射コーム及びヘルメットはこれまでにも考案されている。しかしながら、そのような装置では、治療光を頭皮に照射できる角度及び／又は位置が１つであるか（例えば、光がユーザの既に生えている毛髪により遮られる場合がある定置型ヘルメット）、装置を櫛のように頭皮の上で移動させる際に頭皮のどの領域を治療したかをユーザが記憶している必要がある。どちらの場合でも、確実に頭皮全体を光で治療し、ユーザの関与を限定するのは困難である。
【０００３】
ヘルメットから頭皮に向かってレーザーを照射するヘルメット型装置は、ハンズフリーで頭皮の光治療を行えるようにと考案された。しかしながら、そのような装置は頭皮上であちこち動かせず、ユーザがヘルメットを着用した場合に頭皮又は毛髪を圧迫するだけである。したがって、ヘルメット型装置には光が頭皮に到達するように既に生えているユーザの毛髪を分ける機構がなく、頭皮上のヘルメットが位置した場所にしか光を送れず、光はユーザの毛髪により遮られる場合がある。
【発明の概要】
【０００４】
本願では毛髪がある頭皮を有するヒトのための発光デバイスを提供し、このデバイスは、頭皮の一部の輪郭に沿うように構成された可撓性で弓形のベースを含む。このベースは２０ｍｍ〜１２０ｍｍの幅を有し、内部及び内面を含む。少なくとも１列の歯列がこの内面に連結され、この少なくとも１列の歯列の各歯は、ベースを頭皮の輪郭に沿わせると頭皮に押し付けられる。各歯は、この少なくとも１列の歯列を頭皮に押し付けた場合に毛髪を分けるように構成される。発光ダイオード及びレーザーダイオードの少なくとも一方の列が、この少なくとも１列の歯列に近接させてベースに連結される。
【０００５】
別の実施形態において、毛髪を有するヒトの頭皮で使用するための発毛システムが含まれ、このシステムは、頭皮の輪郭に沿うように構成されたベースを含み、このベースは内部及び内面を含み且つ２０ｍｍ〜１２０ｍｍの幅を有する。少なくとも２列の歯列が内面に連結され、この少なくとも２列の歯列の各歯は、ベースを頭皮の輪郭に沿わせると頭皮に押し付けられる。各歯は、この少なくとも２列の歯列を頭皮に押し付けた場合に毛髪を分けるように構成される。レーザーダイオードの列が、内部のこの少なくとも２列の歯列の間に配置される。コントロールユニットはベースと通信し且つベースから離れており、このコントロールユニットはレーザーダイオードの列をアクティブにするように構成されている。
【０００６】
さらに別の実施形態において、システムは、頭皮の輪郭に沿うように構成された可撓性で弓形のベースを含み、このベースは内部及び内面を含み且つ２０ｍｍ〜１２０ｍｍの幅を有する。少なくとも２列の歯列がこの内面に連結され、この少なくとも２列の歯列の各歯は、ベースを頭皮の輪郭に沿わせると頭皮に押し付けられる。各歯は、この少なくとも２列の歯列を頭皮に押し付けた場合に毛髪を分けるように構成される。レーザーダイオードの列が、内部のこの少なくとも２列の歯列の間に配置される。ベースは、頭皮上の第１位置から頭皮の第２位置まで、この少なくとも２列の歯列の頭皮との接触を失うことなく移動可能である。弾性要素がこの少なくとも２列の歯列の少なくとも一方に連結され、この弾性要素はこの少なくとも２列の歯列の一方を内面から離れた第１位置から内面に隣接した第２位置へと移動し易くするように構成される。画像取り込み要素がベースに連結され、この画像取り込み要素は、ベースを頭皮の輪郭に沿わせた場合に１枚以上の頭皮の画像をキャプチャするように構成される。ベースと通信し且つベースから離れているコントロールユニットが含まれ、このコントロールユニットはレーザーダイオードの列をアクティブにするように構成されている。コントロールユニットは、キャプチャした１枚以上の頭皮の画像を比較し、毛穴の密度の度合いを判断し、１枚以上の頭皮の画像をまとめ、実質的に頭皮全体がレーザーダイオードの列から発せられた光に曝露されたか否かを判断するように構成されたプロセッサを含む。
【図面の簡単な説明】
【０００７】
以下の詳細な説明を添付の図面と共に参照することで、本発明をより完全に理解し、その付随する利点及び特徴をより速やかに理解するだろう。
【図１】図１Ａは本願の原理にしたがって構築したハンズフリー発光デバイスの正面図である。図１Ｂは図１Ａに示す発光デバイスの上面図である。図１Ｃは図１Ａに示す発光デバイスの側面図である。
【図２】図２Ａは図１Ａに示す発光デバイスの実施形態の側面及び裏返しにした面の図である。図２Ｂは図１Ａに示す発光デバイスの実施形態の側面及び裏返しにした面の図である。図２Ｃは図１Ａに示す発光デバイスの実施形態の側面及び裏返しにした面の図である。
【図３】図１Ａに示すデバイスのベースに連結された２列の歯のコンポーネント側方斜視図である。
【図４】図４Ａは図２Ａに示す発光デバイスの実施形態の裏返しにした面の側面図である。図４Ｂは図２Ｂに示す発光デバイスの実施形態の裏返しにした面の側面図である。図４Ｃは図２Ｃに示す発光デバイスの実施形態の裏返しにした面の側面図である。
【図５】図５Ａは図１Ａに示す発光デバイスの実施形態の側面図である。図５Ｂは図１Ａに示す発光デバイスの実施形態の内側の側方斜視図である。
【図６】本願の原理にしたがって構築した発光デバイスの別の実施形態の側方斜視図である。
【図７】ユーザの頭部周りに配置され、携帯用電子デバイスと通信している、本願の原理にしたがって構築した発光デバイスの別の実施形態の側方斜視図である。
【図８】１列の歯を備えた図７に示す実施形態の側方斜視図である。
【発明を実施するための形態】
【０００８】
本明細書で用いる関係を表す語、例えば「第１」及び「第２」、「上」及び「下」、「前面及び後面」等は、１つの実体又は要素を別の実体又は要素から、そのような実体又は要素間のいかなる物理的又は論理的関係性又は順序も必ずしも必要とする又は含意することなく区別するためだけに使用し得る。
【０００９】
ここで図面を参照するが、同様の参照符号は同様の要素を指し、図１Ａ〜１Ｃに、本願の原理にしたがって構築し且つ概して「１０」で示した例示的なハンズフリー発光デバイスを示す。デバイス１０は、ポリカーボネート等の剛性材料並びに／又は他の伸縮性及び弾性の材料、例えば熱可塑性ポリウレタン、あるいは金属及び合金から構築し得る。特に、デバイス１０は、実質的に弓形又は半円形の外形へと偏る細長いベース１２を含み得る。特に、ベース１２は、ユーザの２つの耳の間に延びる、ヒトの頭皮の上部と実質的に同じ弧に成形された弾性材料から構成される外面１４を含み得る。ベース１２は、ユーザの左耳のすぐ上の位置から頭皮を越えて延びてユーザの右耳すぐ近くの位置で終端し得る。例示的な構成において、ベース１２の長さは約１７５〜２４０ｍｍであり、ベースの幅は約２０〜１２０ｍｍである。ベース１２は、その幅に沿って傾斜した又は湾曲した面を画成し得る。例えば、図１Ｃに示すように、ベース１２は、ユーザの頭皮の前面からユーザ頭皮の後面へ延びながら最大高さ約１４０ｍｍまで高さが増大し、次に頭皮の後部に向かって延びながら高さが減少し得る。ユーザの頭皮にベース１２の輪郭がぴったり沿い易くするためにベース１２がその幅又は長さに沿って任意の傾斜を画成し得ることが考えられる。例えば、ベース１２は、サイズが異なる頭皮に対応するようにベース１２の全長を調節するように構成された延長要素（図示せず）を含み得る。この延長要素は、例えば、必要に応じてベース１２の長さを伸長するためにベースの内部に配置される入れ子式の部材又は弾性、伸縮性の部材とし得る。
【００１０】
ベース１２は、ベース１２の長さの少なくとも一部及び一構成においてはベース１２の実質的に全長に延びるパワーパネル１６を含み得る。図１Ａ〜１Ｃに示す実施形態において、パワーパネル１６はベース１２の幅のほぼ中心に位置し且つベース１２の残りの部分とは異なる色で識別可能となり得る。ベース１２は、パワーパネル１６を受け入れるようにサイズ設計された凹部（図示せず）を画成し得る。一実施形態において、パワーパネル１６は、モジュール式であり得るように凹部内でベース１２に着脱自在に取り付け可能である。特に、パワーパネル１６を接続するために、パワーパネル１６をベース１２に簡単にパチンと嵌め込み及び取り外しできる。他の実施形態において、パワーパネル１６は恒久的にベース１２に取り付けられる。パワーパネル１６は、後に詳述するデバイス１０の様々な電動の構成要素と通じる再充電可能なバッテリ（図示せず）、例えばリチウムイオンバッテリ又は再充電ができないバッテリ、ＯＮ／ＯＦＦ電源スイッチ１８、タイマー２０及び振動調節アクチュエータ（図示せず）を含み得る。
【００１１】
ここで図１Ａ及び２Ａ〜２Ｃを参照するが、デバイス１０は、ベース１２の内面２６上に配置された複数の歯２２及び複数のダイオード２４を含み得る。この複数の歯２２は弾性又は剛性の材料、例えばポリウレタン又はポリカーボネートから構成し得て、頭皮に対して非侵襲性であるように画成されている尖っていない縁が、上記内面２６であって、ユーザの頭皮上に位置する及び／又はユーザの頭皮を横切って移動する。例示的な構成において、この複数の歯２２のそれぞれは、内面２６から遠ざかるにつれて内側へと幅が先細りする。複数の歯２２は、内面２６に沿って１列以上配列し得る。例えば、図２Ａに示すように、複数の歯２２は、内面２６に沿って３つの実質的に直線状の歯列２８に配列される。この歯列２８は実質的に互いに平行、また隣接する歯列２８から実質的に等距離になり得る。図２Ａに示す構成において、歯列２８の各歯２２は隣接する歯２２から約７ｍｍ離間され、またベース１２の内面２６の実質的に全長におよぶ。ベース１２をユーザの頭皮上で動かしながらユーザの毛髪が分けられるように又はベース１２がユーザの頭皮の特定の部位で静止している間、毛髪を分けるように各歯２２を構成し得る。例えば、ベース１２は、各歯２２をユーザの頭皮及び／又は毛髪と接触させたまま、前面から後面へ又は後面から前面へ、ユーザの頭皮上の所望の治療領域までユーザの頭皮であちこち枢動させ得る。枢動点は、耳に近いベース１２の端部であり得る。ベース１２を所望の位置までユーザの頭皮の上で移動させるとき、ユーザの毛髪が歯２２により押さえつけられ又はそうでなければ分けられ、ユーザの頭皮を治療するための、ダイオード２４から発せられる光のための実質的に遮られない経路が少なくとも得られる。
【００１２】
ここで図３を参照するが、列２８の１つ以上は、内面２６及び列２８に近接させて位置することが可能な弾性要素２９をさらに含み得る。バネ又は伸縮性材料であり得る弾性要素２９は、各列２８を内面２６から離れた第１位置から内面２６に隣接した第２位置へと移動し易くし得る。特に、列２８をベース１２に連結する場合、弾性要素２９は内面と列２８との間に、例えば列２８から遠ざかる方向に延びる突起部として配置される。ユーザがベース１２を頭皮上に置くと、弾性要素２９は内面２６に押し付けられ得て、これにより力を加えた場所で各列２８を屈曲させ、これが頭皮に心地良く成り得る及び／又は列２８を頭皮により良好にフィットさせ得る。
【００１３】
ここで図２Ａ〜２Ｃを再度参照するが、各歯列２８を約３０ｍｍ、例えば１０ｍｍ〜５０ｍｍの範囲で隣接する歯列２８から離間することでダイオード２４を特定の配列にし得る。例えば、図２Ａに示すように、ダイオード２４を、歯列２８と同様のダイオード列３０に配列し得る。図２Ａに示す構成において、任意の光波長又は光波長の組み合わせ（例えば、多色光）のレーザー又は発光ダイオードであり得る各ダイオード２４、２つのダイオード列３０は、２列の歯列２８の間に配置し得て、ダイオード列３０は合計４つとなる。１つのダイオード列３０はレーザー光を発し得る一方、別のダイオード列は白色光又は特定の波長、例えば黄色、緑、赤、青、赤外線並びに波長約６１０〜６９０ｎｍ、４００〜５００ｎｍ、８００〜９００ｎｍ及び１０００〜１２００ｎｍの光を発し得る。例えば、１つのダイオード列３０は波長６１０〜６９０ｎｍの光を発するダイオード２４を含み得て、別のダイオード列３０は波長１０００〜１２００ｎｍの光を発するダイオード２４を含み得る。あるいは、全てのダイオード２４が第１波長で発光し得て、また第１波長とは異なる第２波長で発光するように構成されたダイオード２４又はダイオード列３０とのモジュール式とし得る。
【００１４】
図２Ａに示す構成において、各ダイオード列３０は他の全てのダイオード列３０に実質的に平行であり且つ隣接するダイオード列３０及び／又は他の全てのダイオード列３０から長手方向にずれ得る。例えば、図２Ａに４つのダイオード列３０を備えたデバイス１０の構成を示すが、各列は２２個のダイオードを有し、ダイオード２４の合計は８２個となる。ダイオード２４は、各ダイオード２４が各及び他の全てのダイオード２４とは異なる垂直方向及び／又は水平方向の向きを有し、各ダイオード２４は頭皮の異なる領域をターゲットとするように位置し得る。他の構成においては、１列の歯列２８を任意の水平位置に沿って含め、ダイオード２４を、列２８及びダイオードが互いに実質的に平行になるようにこの列２８の片側又は両側に列３０状に配置し得る。ただし、いずれの構成及び配置の列３０及び１つ以上の列２８も考えられる。
【００１５】
図２Ｂに示す構成において、２つのダイオード列３０は２列の歯列２８間に配置し得て、ダイオード列３０の合計は４つである。しかしながら、ダイオード２４の数の半分を各ダイオード列３０に含める。特に、各ダイオード列３０において、図２Ａでは１つのダイオード列３０につき２２個のダイオードであったのに対し、１１個のダイオードが含まれる。図２Ｂに示す構成を達成するために、図２Ａに示すパワーパネル１６を図２Ｂに示すパワーパネル１６で置き換え得て、あるいは、ダイオード２４が１つ置きに非アクティブとなるように、パワーパネル１６に任意でプログラムされた特定の治療のために、ユーザはダイオード２４を非アクティブにし得る。あるいは、非アクティブにしたダイオード２４を小さな突起物又は他の非電気材料に置き換えてアクティブなダイオード２４を互いに離間し得る。図２Ｂと同様に、図２Ｃに示す構成は１１個のダイオードの４つのダイオード列３０を含み、各ダイオード列３０のダイオード２４の半分は非アクティブにされている。特に、各ダイオード列３０は、アクティブにした１１個の連続したダイオード２４とそれに続く１１個の連続した非アクティブにしたダイオード２４又は他の非電気材料を含む。図２Ｃに示すように、各ダイオード列３０は、隣接するダイオード列３０とは反対の構成のアクティブにしたダイオード２４を含む。
【００１６】
ここで図４Ａ〜４Ｃ、５Ａ〜Ｂ及び図６を参照するが、歯列２８はベース１２により画成されるチャネル３２に配置し得る。特に、各歯２２は、各歯列２８が弓形の外形を描くように内面２６から遠ざかる方向にチャネル３２から延び得る。レーザー光又は非レーザー光のビームを頭皮に照射する際に各ダイオード２４から発せられる光が実質的に遮られないようにするために、各ダイオード２４は、少なくとも２つの歯２２の間に位置する。あるいは、チャネル３２は含めなくてもよく、各歯２２の基部側の端部は対応するダイオード２４に対して実質的に平坦になり得る。あるいは、各ダイオード２４及び各ダイオード列３０は歯列２８より窪み得る。例えば、各ダイオード２４は、ベース１２の内部に例えば透明カバーにより封入し得て、この透明カバーは、内面２６を滑らかに保ちながら各ダイオード２４からの光の放出を可能にする。そのような構成において、ベースは、水が内部に入り込んでダイオード２４にダメージを与えないように水密性又は実質的に水密性であり得る。
【００１７】
図７に示す構成においては、２列の歯列２８が内面２６上に配置される。図８においては、１列の歯列２８がダイオード列３０に隣接して含まれ、ダイオード列３０のどちら側にもなり得る。どちらの構成においても、各歯列２８は、ベース１２を頭皮上であちこち動かす及び枢動させるときユーザの毛髪を分けるように構成される。図７に示す構成において、歯列２８は、実質的に２列の歯列２８の間の幅全体におよび且つ実質的にベース１２の長さ全体におよぶ１つのチャネル３２を形成する内面２６の縁の近くに配置される。チャネル３２には、チャネル３２内でロック係合可能なモジュール式のバンド３４を着脱自在に挿入可能であり得る。バンド３４はチャネル３２内にスナップ嵌めし得て、またチャネル３２内に挿入した場合にパワーパネル１６と電気的に通信し得る。バンド３４には複数のダイオード２４及び列３０が取り付けられ、任意のパターン及び任意の数の列３０に配列し得る。例えば、図７の実施形態には４つの列３０が含まれる。他のバンド３４をチャネル３２内にスナップ嵌めして特定のダイオード２４構成（上述したように各ダイオードは特定の波長範囲の光を放ち得る）にすることも考えられる。そのような構成において、モジュール式のバンド３４は内面２６内で水密シールを形成し得る。
【００１８】
上記の実施形態のいずれかの例示的な使用方法において、ユーザは内面２６を頭皮の前面部の上に置き、後に詳述するように、デバイス１０をＯＮスイッチ１８で又は遠隔的にアクティベートし、ＯＮスイッチは、既定の治療時間からカウントダウンするタイマー２０をアクティベートする。例えば、ダイオード列３０を３分間又は任意の時間にわたってアクティブにしてからスイッチを切り得る。この３分間の間、歯列２８は、毛髪を分けやすくする及び／又は頭皮を優しくマッサージするために振動し得る。特定の構成において、歯２２もユーザの毛髪もダイオード２４から放たれる光の経路を遮らない。既定の時間の経過後、アラートが鳴り、ユーザに既定の時間が終了したことを示し得る。次に、ユーザはデバイス１０を頭皮の別の向き、例えば頭皮の前面、（図６に示すような）頭皮の中央又は頭皮の背面へと枢動させて又はそうでなければ移動させ、毛髪が歯２２により分けられて遮られない又は実質的に遮られないダイオード２４から頭皮への光路が形成され得るようにデバイス１０を頭皮から外すことなく及び／又は歯２２の頭皮若しくは毛髪との接触を失うことなく追加の既定の時間にわたって治療を継続し得る。特に、ユーザはベース１２を頭皮の中心に近い第１位置から頭皮の前面若しくは背面に近い第２位置へと、ベース１２を頭皮に押し付けた状態から外すことなくシフトさせ得る。
【００１９】
引き続き図６を参照するが、デバイス１０、特にパネル１６は、デバイス１０をアクティベート及び制御し且つ任意でデバイス１０に関連した治療をモニタするように構成されたコントロールユニット３６と通信し得る。コントロールユニット３６は、デバイス１０と通信するように構成された、無線送信機を備えた時計、例えばＡｐｐｌｅ  Ｗａｔｃｈ（登録商標）又はスマートフォン、タブレットコンピュータ又はコンピュータで動くアプリケーションソフトウェアであり得る。特に、デバイス１０は、コントロールユニット３６から受信した様々なコマンドを処理するように構成された、ベース１２内のプロセッサ４０と通信する無線送受信器３８を含み得る。例えば、スマートフォン、例えばｉＰｈｏｎｅ（登録商標）は、ユーザが操作してデバイス１０の電源をＯＮ／ＯＦＦにし、ダイオード２４をアクティブにし、デバイスのタイマーをＯＮ／ＯＦＦにし、歯列２８をＯＮ／ＯＦＦにし、ベース１２に連結された画像取り込み要素４２をアクティベートし、流体をベース１２から分注できるように構成されたアプリケーションを有し得る。特定の構成において、内面２６に連結されたカメラであり得る画像取り込み要素４２は、ベース１２をユーザの頭皮上に配置した又はそうでなければ頭皮の輪郭に添わせた場合に頭皮の一部を画像化するように構成し得る。画像取り込み要素４２は、内面２６から離れて突き出ないように内面２６と実質的に平坦となり得る。あるいは、この画像取り込み要素４２は内面から離れて突き出得て、またジンバル又は画像取り込み要素４２の多軸運動を可能にするように構成された構造体上に位置し得る。図示してはいないが、ベース１２は折り畳み可能にもなり得る。例えば、ベース１２は、デバイス１０をユーザの頭皮上に据えた場合にユーザの耳に近いベースの一端又は両端近くに蝶番を含み得る。蝶番はベースの一部を少なくとも９０度の角度まで折ってデバイス１０を平たくし、面上で自立させることを可能にし得る。
【００２０】
コントロールユニット３６内のソフトウェアアプリケーションは画像取り込み要素４２と通信し得て、またデバイス１０をアクティベートした場合に自動的に又はユーザが手動で、画像取り込み要素４２をアクティベートし得る。例示的な構成においては、ユーザがデバイス１０を使用する時、画像取り込み装置４２は頭皮の一部の画像をキャプチャする。次に、その頭皮画像を解析して、その画像化した部位における毛穴の平均密度及び／又は発毛の度合いを判断する。ユーザがデバイス１０を使用してレーザー及び／又は光ダイオード２４で頭皮の治療を行うたびに、画像取り込み要素４２は治療した部位の画像をキャプチャし、オーバータイムで比較する。オーバータイムで毛穴の密度の変化を計算し、ユーザが治療の進捗具合をたどれるようにコントロールユニットのディスプレイ上に表示する。例えば、画像取り込み要素４２がキャプチャした画像をまとめて、頭皮全体及び／又は頭皮の所望の部位が光療法で治療されたか否か並びに頭皮全体又は頭皮のターゲット部位として頭皮上での発毛の度合い／毛穴の密度を判断し得る。アプリケーションはさらに、多数の因子に基づいて、毛穴の密度及び／又は発毛の度合いにおける変化を計算するように構成し得る。例えば、アプリケーションは、ベース１２の使用頻度、ベース１２の１回の使用時間及びキャプチャした１枚以上の頭皮の画像の少なくとも１つに基づいて、発毛の度合い及び／又は毛穴の密度を相関させるアルゴリズムを含み得る。ユーザはさらに、進捗具合を経時的にたどってより長い治療時間又は異なる光強度を必要とし得る頭皮の領域を割り出し可能になり得る。ベース１２はさらに、発毛剤を蓄えるように構成された貯蔵部４６を含み得る。コントロールユニット３６は貯蔵部４６と通信し得て、また貯蔵部４６と流体連通しているベース１２の開口部を通して又は１つ以上の歯２２を通して貯蔵部４６から流体を分注するように構成し得て、歯２２は貯蔵部４６と連通した開口部をそのそれぞれの遠位端に有し得る。
【００２１】
さらに、ユーザデータをアプリケーションに保存し得て、またこのデータに基づいてユーザプロファイルを生成し得るため、複数のユーザがこのデバイス１０を使用し得て、またユーザ専用の治療プログラムをユーザの個別のニーズに合わせ得る。例えば、アルゴリズムが、特定のユーザについて、治療時間を頭頂部近くで前面又は背面より長くする必要があると判断し、その特定の領域での発毛をターゲットにした治療プログラムを開始し得る。デバイス１０を所望の速度で頭皮上であちこち動かす又はそうでなければ枢動させることをさらに判断するために、ベース１２は、デバイスが移動する速度及び／又は加速を記録するプロセッサ４０と通信する加速度計４４を含み得る。デバイスを既定の速度より速く又は遅く移動させると、ユーザの毛髪を歯列２８で分ける速度を上げる又は下げるためにデバイスが振動し得る又はそうでなければデバイスからの音を通してユーザに警告し得る又はスマートフォン３６から警告し得る。
【００２２】
当業者ならば、本発明が本明細書でこれまで具体的に図示及び説明してきたものに限定されないことがわかる。加えて、但し書きがない限り、添付の図面は全て縮尺通りではないことに留意すべきである。以下の請求項によってのみ限定される本発明の範囲及び趣旨から逸脱することなく、上記の教示を踏まえて多種多様な改変及び変化形が可能である。
【図１】
2017530850.tif 000003
【図２】
2017530850.tif 000004
【図３】
2017530850.tif 000005
【図４】
2017530850.tif 000006
【図５】
2017530850.tif 000007
【図６】
2017530850.tif 000008
【図７】
2017530850.tif 000009
【図８】
2017530850.tif 000010
【国際調査報告】
2017530850.tif 000011
2017530850.tif 000012
2017530850.tif 000013
2017530850.tif 000014